(57)【要約】【課題】故障箇所や故障モードに係らず、二次電池を監視する回路の故障を検出することが可能な二次電池監視装置及び故障診断方法を提供する。【解決手段】二次電池の異常を検出する抵抗回路及び検出回路と、抵抗回路の出力端子を故障診断用の電圧にするための故障検出電流を発生する電流生成回路と、抵抗回路の出力端子に故障検出電流を切替えて流すスイッチと、を備えたことを特徴とする。また、その二次電池監視装置の故障診断方法。【選択図】図１
2018099020.tif 000002
【特許請求の範囲】
【請求項１】
二次電池の異常を検出する二次電池監視装置であって、
前記二次電池の両端が接続され、出力端子から検出電圧を出力する抵抗回路と、
前記検出電圧に基づいて、前記二次電池の異常を検出する検出回路と、
前記二次電池の両端が接続され、前記二次電池の電圧を電流に変換する電圧電流変換回路と、
前記電圧電流変換回路の電流を電圧に変換する電流電圧変換回路と、
前記電流電圧変換回路の電圧に基づいて、前記二次電池の電圧に比例した第一の電流を生成する第一の電流生成回路と、
前記抵抗回路の前記出力端子を故障診断用の電圧とするための電圧に比例した第二の電流を生成する第二の電流生成回路と、
前記第一の電流と前記第二の電流に応じた故障検出電流を流すカレントミラー回路と、
前記抵抗回路の前記出力端子に前記故障検出電流を流すスイッチと、
を備えたことを特徴とする二次電池監視装置。
【請求項２】
二次電池の異常を検出する二次電池監視装置であって、
前記二次電池の両端が接続され、第一の出力端子から過放電検出電圧を出力し、第二の出力端子から過充電検出電圧を出力する抵抗回路と、
前記過放電検出電圧に基づいて、前記二次電池の過放電を検出する過放電検出回路と、
前記過充電検出電圧に基づいて、前記二次電池の過充電を検出する過充電検出回路と、
前記二次電池の両端が接続され、前記二次電池の電圧を電流に変換する電圧電流変換回路と、
前記電圧電流変換回路の電流を電圧に変換する電流電圧変換回路と、
前記電流電圧変換回路の電圧に基づいて、前記二次電池の電圧に比例した第一の電流を生成する第一の電流生成回路と、
前記抵抗回路の前記第一の出力端子及び前記第二の出力端子を故障診断用の電圧とするための電圧に比例した第二の電流を生成する第二の電流生成回路と、
前記第一の電流と前記第二の電流に応じた故障検出電流を流すカレントミラー回路と、
前記抵抗回路の第一の出力端子に前記故障検出電流を流す第一のスイッチと、
前記抵抗回路の第二の端子から前記故障検出電流を流す第二のスイッチと、
を備えたことを特徴とする二次電池監視装置。
【請求項３】
前記第一のスイッチがオンし、前記第二のスイッチがオフした時に前記過放電検出回路の故障を診断し、
前記第一のスイッチがオフし、前記第二のスイッチがオンした時に前記過充電検出回路の故障を診断する
ことを特徴とする請求項２に記載の二次電池監視装置。
【請求項４】
前記過放電検出回路の故障を診断する時と、前記過充電検出回路の故障を診断する時で、
前記第一の電流生成回路は、前記第一の電流を切替えて出力し、
前記第二の電流生成回路は、前記第二の電流を切替えて出力する
ことを特徴とする請求項２または３に記載の二次電池監視装置。
【請求項５】
第一の二次電池の両端が接続され、出力端子から第一の検出電圧を出力する第一の抵抗回路と、
前記第一の検出電圧に基づいて、前記第一の二次電池の異常を検出する第一の検出回路と、
前記第一の二次電池の両端が接続され、前記第一の二次電池の電圧を電流に変換する第一の電圧電流変換回路と、
前記第一の二次電池と直列に接続された第二の二次電池の両端が接続され、出力端子から第二の検出電圧を出力する第二の抵抗回路と、
前記第二の検出電圧に基づいて、前記第二の二次電池の異常を検出する第二のの検出回路と、
前記第二の二次電池の両端が接続され、前記第二の二次電池の電圧を電流に変換する第二の電圧電流変換回路と、
入力端子が第一のスイッチを介して前記第一の電圧電流変換回路と、第二のスイッチを介して前記第二の電圧電流変換回路と接続され、前記第一または第二の電圧電流変換回路の電流を電圧に変換する電流電圧変換回路と、
前記電流電圧変換回路の電圧に基づいて、前記二次電池の電圧に比例した第一の電流を生成する第一の電流生成回路と、
前記第一または第二の抵抗回路の前記出力端子を故障診断用の電圧とするための電圧に比例した第二の電流を生成する第二の電流生成回路と、
前記第一の電流と前記第二の電流に応じた故障検出電流を流すカレントミラー回路と、
前記第一の抵抗回路の前記出力端子に前記故障検出電流を流す第三のスイッチと、
前記第二の抵抗回路の前記出力端子に前記故障検出電流を流す第四のスイッチと、
を備えた二次電池の異常を検出する二次電池監視装置の故障診断方法であって、
前記第二の二次電池の両端が接続される端子に外部電源から電圧を印加し、
前記第一のスイッチをオフ、前記第二のスイッチをオン、前記第三のスイッチをオン、前記第四のスイッチをオフして、
前記第一の検出回路の検出結果によって、前記二次電池監視装置の故障を診断する二次電池監視装置の故障診断方法。
【発明の詳細な説明】
【技術分野】
【０００１】
本発明は、二次電池監視装置及び故障診断方法に関する。
【背景技術】
【０００２】
従来の複数直列接続された二次電池の異常を検出する二次電池監視装置は、二次電池監視装置の故障を検出する機能を備えている。
【０００３】
二次電池監視装置は、各二次電池毎に設けられた異常検出回路と、各異常検出回路の異常判定電圧を変更する判定電圧変更回路を備えている。そして、二次電池監視装置は、判定電圧変更回路が異常検出回路の異常判定電圧を変更して、二次電池の電圧を検出することで異常検出回路の故障を検出する（例えば、特許文献１参照）。
【先行技術文献】
【特許文献】
【０００４】
【特許文献１】特開２００４−１２７６６３号公報
【発明の概要】
【発明が解決しようとする課題】
【０００５】
しかしながら、従来の二次電池監視装置は、基準電圧回路の出力する基準電圧の値がずれる故障の場合、過充電検出においては判定電圧が上がる故障と、過放電検出においては判定電圧が下がる故障の検出が困難であった。また、分圧抵抗の抵抗比においても、異常の発生のしかたによっては、その検出が難しかった。即ち、従来の二次電池監視装置は、故障箇所や故障モードによっては、故障の検出が難しいという課題があった。
【０００６】
本発明は、上記課題に鑑みてなされたものであり、故障箇所や故障モードに係らず故障を検出することが可能な二次電池監視装置及び故障診断方法を提供することを目的としている。
【課題を解決するための手段】
【０００７】
本発明の二次電池監視装置は、二次電池の両端が接続され、出力端子から検出電圧を出力する抵抗回路と、検出電圧に基づいて二次電池の異常を検出する検出回路と、二次電池の両端が接続され二次電池の電圧を電流に変換する電圧電流変換回路と、電圧電流変換回路の電流を電圧に変換する電流電圧変換回路と、電流電圧変換回路の電圧に基づいて二次電池の電圧に比例した第一の電流を生成する第一の電流生成回路と、抵抗回路の出力端子を故障診断用の電圧とするための電圧に比例した第二の電流を生成する第二の電流生成回路と、第一の電流と第二の電流に応じた故障検出電流を流すカレントミラー回路と、抵抗回路の出力端子に故障検出電流を流すスイッチと、を備えたことを特徴とする。
また、本発明の二次電池監視装置の故障診断方法は、第一の二次電池の両端が接続され出力端子から第一の検出電圧を出力する第一の抵抗回路と、第一の検出電圧に基づいて第一の二次電池の異常を検出する第一の検出回路と、第一の二次電池の両端が接続され第一の二次電池の電圧を電流に変換する第一の電圧電流変換回路と、第一の二次電池と直列に接続された第二の二次電池の両端が接続され出力端子から第二の検出電圧を出力する第二の抵抗回路と、第二の検出電圧に基づいて第二の二次電池の異常を検出する第二のの検出回路と、第二の二次電池の両端が接続され第二の二次電池の電圧を電流に変換する第二の電圧電流変換回路と、入力端子が第一のスイッチを介して第一の電圧電流変換回路と第二のスイッチを介して第二の電圧電流変換回路と接続され第一または第二の電圧電流変換回路の電流を電圧に変換する電流電圧変換回路と、電流電圧変換回路の電圧に基づいて二次電池の電圧に比例した第一の電流を生成する第一の電流生成回路と、第一または第二の抵抗回路の出力端子を故障診断用の電圧とするための電圧に比例した第二の電流を生成する第二の電流生成回路と、第一の電流と第二の電流に応じた故障検出電流を流すカレントミラー回路と、第一の抵抗回路の出力端子に故障検出電流を流す第三のスイッチと、第二の抵抗回路の出力端子に故障検出電流を流す第四のスイッチと、を備えた二次電池の異常を検出する二次電池監視装置の故障診断方法であって、第二の二次電池の両端が接続される端子に外部電源から電圧を印加し、第一のスイッチをオフ、第二のスイッチをオン、第三のスイッチをオン、第四のスイッチをオフして、第一の検出回路の検出結果によって二次電池監視装置の故障を診断することを特徴とする。
【発明の効果】
【０００８】
本発明の二次電池監視装置及び故障診断方法によれば、故障箇所や故障モードに係らず故障を検出することが可能となる。
【図面の簡単な説明】
【０００９】
【図１】本発明の二次電池監視装置を示すブロック図である。
【図２】本発明の二次電池監視装置の故障診断方法を示すブロック図である。
【発明を実施するための形態】
【００１０】
図１は、本発明の実施形態の二次電池監視装置１００を示すブロック図である。
【００１１】
二次電池監視装置１００は、電圧電流変換回路１１、２１と、選択スイッチ１２、２２と、抵抗回路１３、２３と、基準電圧回路１４、２４と、スイッチ１５、１６、２５、２６と、コンパレータ１７、１８、２７、２８と、電流電圧変換回路３１と、オペアンプ３２、３５と、ＭＯＳトランジスタ３３、３６と、抵抗３４、３７と、基準電圧回路３８と、カレントミラー回路３９を備えている。
【００１２】
また、図示はしないが、二次電池監視装置１００は、二次電池Ｃ１、Ｃ２の電圧情報などによって充放電制御スイッチを制御する制御回路など、を備えている。
【００１３】
コンパレータ１７、２７は、過放電を検出するコンパレータであり、コンパレータ１８、２８は、過充電を検出するコンパレータである。抵抗回路１３は、３つの抵抗１３ａ、１３ｂ、１３ｃが直列に接続され、その抵抗値はＲａ、Ｒｂ、Ｒｃとする。抵抗回路２３は、３つの抵抗２３ａ、２３ｂ、２３ｃが直列に接続され、その抵抗値はＲａ、Ｒｂ、Ｒｃとする。基準電圧回路１４、２４は、基準電圧ｖｒｅｆを出力する。
【００１４】
電圧電流変換回路１１及び２１と、電流電圧変換回路３１と、オペアンプ３２と、ＭＯＳトランジスタ３３と、抵抗３４とは、抵抗回路１３（２３）におけるコンパレータ１７、１８（２７、２８）が検出するノードを基準電圧回路１４（２４）の基準電位と同じくするための電流Ｉｃを生成する電流生成回路である。オペアンプ３５と、ＭＯＳトランジスタ３６と、抵抗３７と、基準電圧回路３８とは、抵抗回路１３（２３）におけるコンパレータ１７、１８（２７、２８）が検出するノードを故障診断用の電圧にするための電流Ｉｒを生成する電流生成回路である。
【００１５】
電圧電流変換回路１１は、入力端子が二次電池Ｃ１の両端に接続され、出力端子は選択スイッチ１２を介して電流電圧変換回路３１の入力端子に接続される。抵抗回路１３は、両端が二次電池Ｃ１の両端に接続され、第一出力端子はコンパレータ１７の反転入力端子に接続され、第二出力端子はコンパレータ１８の非反転入力端子に接続される。基準電圧回路１４は、出力端子がコンパレータ１７の非反転入力端子とコンパレータ１８の反転入力端子に接続される。
【００１６】
電圧電流変換回路２１は、入力端子が二次電池Ｃ２の両端に接続され、出力端子は選択スイッチ２２を介して電流電圧変換回路３１の入力端子に接続される。抵抗回路２３は、両端が二次電池Ｃ２の両端に接続され、第一出力端子はコンパレータ２７の反転入力端子に接続され、第二出力端子はコンパレータ２８の非反転入力端子に接続される。基準電圧回路２４は、出力端子がコンパレータ２７の非反転入力端子とコンパレータ２８の反転入力端子に接続される。コンパレータ１７、１８、２７、２８は、出力端子が図示しない制御回路の入力端子に接続される。
【００１７】
オペアンプ３２は、非反転入力端子が電流電圧変換回路３１の出力端子に接続され、出力端子はＭＯＳトランジスタ３３のゲートに接続される。ＭＯＳトランジスタ３３は、ソースが抵抗３４の一端とオペアンプ３２の反転入力端子に接続される。
【００１８】
オペアンプ３５は、非反転入力端子が基準電圧回路３８の出力端子に接続され、出力端子はＭＯＳトランジスタ３６のゲートに接続される。ＭＯＳトランジスタ３６は、ソースが抵抗３７の一端とオペアンプ３５の反転入力端子に接続される。
【００１９】
カレントミラー回路３９は、入力端子がＭＯＳトランジスタ３６のドレインに接続され、出力端子がＭＯＳトランジスタ３３のドレインに接続される。スイッチ１５は、カレントミラー回路３９の出力端子とコンパレータ１７の反転入力端子の間に接続される。スイッチ１６は、カレントミラー回路３９の出力端子とコンパレータ１８の非反転入力端子の間に接続される。スイッチ２５は、カレントミラー回路３９の出力端子とコンパレータ２７の反転入力端子の間に接続される。スイッチ２６は、カレントミラー回路３９の出力端子とコンパレータ２８の非反転入力端子の間に接続される。
【００２０】
電圧電流変換回路１１（２１）は、二次電池Ｃ１（Ｃ２）の電圧を電流に変換して電流電圧変換回路３１に入力する。電流電圧変換回路３１は、電圧電流変換回路１１（２１）の電流を電圧に変換してオペアンプ３２の非反転入力端子に入力する。オペアンプ３２は、抵抗３４に発生する電圧が電流電圧変換回路３１の電圧に等しくなるようにＭＯＳトランジスタ３３のゲートを制御する。その時、抵抗３４に流れる電流は、二次電池の電圧に比例した電流で、その値をＩｃとする。オペアンプ３５は、抵抗３７に発生する電圧が基準電圧回路３８の電圧に等しくなるようにＭＯＳトランジスタ３６のゲートを制御する。その時、抵抗３７に流れる電流の値をＩｒとする。
【００２１】
次に、二次電池監視装置１００の故障診断機能について説明する。
【００２２】
二次電池Ｃ１を監視する回路の故障診断をする場合、選択スイッチ１２をオンして選択スイッチ２２をオフする。電圧電流変換回路１１は、二次電池Ｃ１の電圧ＶＣ１を電流に変換して、選択スイッチ１２を介して電流電圧変換回路３１に入力する。電流電圧変換回路３１は、入力された電流を電圧ＶＣ１に変換し、オペアンプ３２と抵抗３４とＭＯＳトランジスタ３３により二次電池Ｃ１の電圧ＶＣ１に比例した電流Ｉｃを得る。
【００２３】
ここで、抵抗３４の抵抗値Ｒ３４は、診断するコンパレータの抵抗回路の上位側抵抗値と等しくなるように切替える、即ち、コンパレータ１７を診断するときは抵抗値Ｒａ、コンパレータ１８を診断するときは抵抗値Ｒａ＋Ｒｂとする。
【００２４】
更に、基準電圧回路３８の電圧も診断するコンパレータに応じて切替える。基準電圧回路３８の電圧値は、コンパレータ１７を診断する場合は基準電圧ｖｒｅｆ未満の電圧Ｖｕｄを出力し、コンパレータ１８を診断する場合は基準電圧ｖｒｅｆより高い電圧Ｖｏｄを出力する。
【００２５】
更に、抵抗３７の抵抗値３７は、診断するコンパレータの入力部から見た抵抗回路の等価入力抵抗値に切替える。従って、抵抗値３７は、コンパレータ１７を診断する場合は１／｛１／Ｒａ＋１／（Ｒｂ＋Ｒｃ）｝、コンパレータ１８を診断する場合は１／｛１／（Ｒａ＋Ｒｂ）＋１／Ｒｃ｝に設定する。
【００２６】
これらの切替えは、図示しないテスト回路の制御信号によって行われる。
【００２７】
そして、抵抗３４に流れる電流Ｉｃと抵抗３７に流れる電流Ｉｒに応じた電流を抵抗回路１３に流入、または抵抗回路１３から流出する事により、抵抗回路１３と基準電圧回路１４を診断する。
【００２８】
次に、故障診断の動作について説明する。
【００２９】
選択スイッチ１２をオンして、抵抗値Ｒ３４を抵抗値Ｒａに、抵抗値３７を１／｛１／Ｒａ＋１／（Ｒｂ＋Ｒｃ）｝、基準電圧回路３８の電圧を電圧Ｖｕｄに設定する。このように設定することで、電流ＩｃをＶＣ１／Ｒａに、電流ＩｒをＶｕｄ・｛１／Ｒａ＋１／（Ｒｂ＋Ｒｃ）｝にする。
【００３０】
スイッチ１５をオンすると、抵抗１３ａと抵抗１３ｂの接続点からスイッチ１５を介して抵抗３４に故障検出用の電流Ｉｃ−Ｉｒが流れ、コンパレータ１７の反転入力端子の電圧は電圧Ｖｕｄになる。この時、電流Ｉｃは、抵抗１３ａと抵抗１３ｂの接続点の電位を二次電池Ｃ１の負極の電位と等しくし、電流Ｉｒは抵抗１３ａと抵抗１３ｂの接続点の電位を二次電池Ｃ１の負極の電位から電圧Ｖｕｄだけ高くする。即ち、二次電池Ｃ１の電圧ＶＣ１に係らず、コンパレータ１７の反転入力端子に電圧Ｖｕｄを印加することが出来る。
【００３１】
ここで、電圧Ｖｕｄは基準電圧ｖｒｅｆより低いので、コンパレータ１７は過放電を検出する。従って、基準電圧ｖｒｅｆが低くなる異常は、コンパレータ１７が過放電を検出しないことで検出が可能となる。また、抵抗値Ｒａが低くなる異常も、コンパレータ１７が過放電を検出しないことで検出が可能となる。また、抵抗値Ｒｂや抵抗値Ｒｃが高くなる異常も、コンパレータ１７が過放電を検出しないことで検出が可能となる。
【００３２】
次に、スイッチ１５をオフして、抵抗値Ｒ３４を抵抗値Ｒａ＋Ｒｂに、抵抗値Ｒ３７を１／｛１／（Ｒａ＋Ｒｂ）＋１／Ｒｃ｝、基準電圧回路３８の電圧を電圧Ｖｏｄに設定する。このように設定することで、電流ＩｃをＶＣ１／Ｒａ＋Ｒｂに、電流ＩｒをＶｏｄ・｛１／（Ｒａ＋Ｒｂ）＋１／Ｒｃ｝にする。
【００３３】
スイッチ１６をオンすると、抵抗１３ｂと抵抗１３ｃの接続点にカレントミラー回路３９から、スイッチ１６を介して故障検出用の電流Ｉｒ−Ｉｃが流れ、コンパレータ１８の非反転入力端子の電圧は電圧Ｖｏｄになる。この時、電流Ｉｃは、抵抗１３ｂと抵抗１３ｃの接続点の電位を二次電池Ｃ１の負極の電位と等しくし、電流Ｉｒは抵抗１３ｂと抵抗１３ｃの接続点の電位を二次電池Ｃ１の負極の電位から電圧Ｖｏｄだけ高くする。即ち、二次電池Ｃ１の電圧ＶＣ１に係らず、コンパレータ１８の非反転入力端子に電圧Ｖｏｄを印加することが出来る。
【００３４】
ここで、電圧Ｖｏｄは基準電圧ｖｒｅｆより高いので、コンパレータ１８は過充電を検出する。従って、基準電圧ｖｒｅｆが高くなる異常は、コンパレータ１８が過充電を検出しないことで検出が可能となる。また、抵抗値Ｒｃが低くなる異常も、コンパレータ１８が過充電を検出しないことで検出が可能となる。また、抵抗値Ｒａや抵抗値Ｒｂが高くなる異常も、コンパレータ１８が過充電を検出しないことで検出が可能となる。
【００３５】
また、抵抗値Ｒｂが低くなった異常は、二次電池Ｃ１の電圧ＶＣ１が通常時にコンパレータ１７、１８のどちらかが誤動作してしまう事により故障検出が可能となる。
【００３６】
二次電池Ｃ２を監視する回路の故障診断をする場合、それらの回路を上記したのと同様に診断することが可能である。
【００３７】
また、診断時に動作する電圧電流変換回路１１を利用して、スイッチ１５、１６がオフ時に電圧電流変換回路１１のみ動作させる事で、二次電池Ｃ１と二次電地Ｃ２の接続点の接続故障を検出する事も可能となる。
【００３８】
図２は、本実施形態で追加した故障診断のための回路を故障診断する方法を示すブロック図である。以下に、電流生成回路の故障診断を実施する方法を説明する。
【００３９】
図１との違いは、スイッチ１５または１６をオンする時に、選択スイッチ１２がオフして、選択スイッチ２２がオンしていることである。そして、二次電池Ｃ２が接続されるべき端子には電圧を変えることが出来る外部電源が接続されている。
【００４０】
このような状態にすると、抵抗回路１３は、二次電池Ｃ１の電圧が印加されるとともに、電圧電流変換回路２１の電流に基づいて電流生成回路が生成する電流Ｉｃと、電流Ｉｒとで決定される故障検出用の電流が流れる。詳細には、故障検出用の電流は、スイッチ１５がオンした時には電流Ｉｃ−Ｉｒが抵抗回路１３から流出し、スイッチ１６がオンした時には電流Ｉｒ−Ｉｃが抵抗回路１３に流入する。
【００４１】
この状態で、外部電源の電圧を二次電池Ｃ１の電圧より低く設定すると、電流Ｉｃは、二次電池Ｃ１の電圧から生成される電流より小さくなるので、コンパレータ１７の反転入力端子の電圧は電圧Ｖｕｄよりも高くなる。ここで、この電圧を基準電圧Ｖｒｅｆより高くなるようにすると、コンパレータ１７が過放電を検出しないことで、電圧電流変換回路２１を含む電流Ｉｃ及びＩｒを生成する電流生成回路に故障がないことを検出することが出来る。また、抵抗回路１３のコンパレータ１７の反転入力端子の電圧が下がり過ぎる故障を検出することが出来る。
【００４２】
同様にして、スイッチ１５をオフ、スイッチ１６をオンして、外部電源の電圧を変えて過充電検出回路の故障と、抵抗回路１３のコンパレータ１８の非反転入力端子の電圧が上がり過ぎる故障を検出することが出来る。
【００４３】
さらに、選択スイッチ１２をオン、選択スイッチ２２をオフして、二次電池Ｃ１が接続されるべき端子に電圧を変えることが出来る外部電源を接続して、故障診断をすることで、電圧電流変換回路１１を含む電流生成回路に故障が無いことを検出することが出来る。
【００４４】
以上説明したように、本実施形態の二次電池監視装置１００は、電流Ｉｃ及び電流Ｉｒを生成する電流生成回路と、カレントミラー回路３９と、を備え、スイッチ１５、１６（２５、２６）を切替えて抵抗回路に所望の電流を流すようにしたので、故障箇所や故障モードに係らず、二次電池Ｃ１（Ｃ２）を監視する回路の故障を検出することが可能となる。
【００４５】
以上、本発明の実施形態について説明したが、本発明は上記実施形態に限定されず、本発明の趣旨を逸脱しない範囲において種々の変更が可能である。
【００４６】
例えば、二次電池を監視する回路として過放電を検出する回路と過充電を検出する回路を備えた例で説明したが、どちらか一方を備えた構成であっても良い。また、直列に接続された二つの二次電池を監視する回路を例にしたが、二次電池は１つであっても、３つ以上であっても同様に実施可能である。また、電流生成回路は、オペアンプとＭＯＳトランジスタと抵抗で構成すると説明したが、機能を満足すれば良く、この回路に限定されない。また、抵抗回路１３と抵抗回路２３の各抵抗の抵抗値は同じ値としたが、二次電池Ｃ１とＣ２の電圧が異なる場合など、各抵抗の抵抗値は異なっていても良い。その場合は、電流生成回路を別に備える必要がある。
【符号の説明】
【００４７】
１００  二次電池監視装置
１１、２１  電圧電流変換回路
１４、２４、３８  基準電圧回路
１７、１８、２７、２８  コンパレータ
３１  電流電圧変換回路
３２、３５  オペアンプ
３９  カレントミラー回路
【図１】
2018099020.tif 000003
【図２】
2018099020.tif 000004